(57)【要約】【課題】ハイライトシーンを的確に判定する。【解決手段】ディスクレコーダ１００のＤＳＰ３２は、ハイライトシーンの映像情報の特徴を表す静止画像情報である複数の特定画像情報を格納する特定画像記憶部３３１と、第１映像情報から所定時間毎の静止画像情報を生成する静止画像生成部３２３と、静止画像情報毎に、各特定画像情報との一致の程度を示すマッチング率が所定の閾値以上であるか否かを判定する一致度判定部３２５と、所定の閾値以上であると判定された場合に、特定画像情報に対応する画像識別情報を、静止画像情報に対応する位置情報と対応付けて位置記憶部３３２に格納し、格納された画像識別情報及び位置情報に基づいて、ハイライトシーンを含む第２映像情報の第１映像情報における範囲を示す始点位置情報及び終点位置情報を生成する位置特定部３２８と、を備えている。【選択図】図２
2008167368.tif 000002
【特許請求の範囲】
【請求項１】
テレビジョン放送を受信するテレビ受信機と通信可能に接続され、映像情報を前記テレビ受信機から取得して格納すると共に、取得された映像情報である第１映像情報に含まれ、ハイライトシーンを含む映像情報である第２映像情報の前記第１映像情報における範囲を特定して前記第２映像情報を再生し外部から視認可能に前記テレビ受信機に配設されたモニタに表示する映像記録再生装置であって、
前記テレビ受信機から前記第１映像情報を取得する映像取得手段と、
前記映像取得手段によって取得された第１映像情報を格納する第１映像記憶手段と、
前記第１映像情報のジャンルを判定する種別判定手段と、
前記第１映像情報のジャンル毎に、前記ハイライトシーンの映像情報の特徴を表す静止画像情報であって、画面の一部の領域である特定領域に表示される文字情報に対応する画像情報である複数の特定画像情報を、各特定画像情報を識別する識別情報である画像識別情報と対応付けて格納する特定画像記憶手段と、
前記第１映像情報から予め設定された所定時間毎の静止画像情報を生成する静止画像生成手段と、
前記静止画像生成手段によって生成された静止画像情報毎に、前記特定画像記憶手段に格納された特定画像情報の内、前記種別判定手段によって判定されたジャンルに対応する各特定画像情報との一致の程度を前記特定領域における画素毎に評価し、一致の程度を示すマッチング率を生成する一致度評価手段と、
前記一致度評価手段によって生成されたマッチング率が予め設定された所定の閾値以上であるか否かを判定する一致度判定手段と、
前記画像識別情報を、前記静止画像情報の前記第１映像情報における位置を示す位置情報と対応付けて格納可能な位置記憶手段と、
前記一致度判定手段によって所定の閾値以上であると判定された場合に、特定画像情報に対応する画像識別情報を前記特定画像記憶手段から読み出して、静止画像情報に対応する位置情報と対応付けて前記位置記憶手段に格納する位置生成手段と、
前記第１映像情報のジャンルを示すジャンル情報と対応付けて、ルールを規定する情報であるルール情報を格納するルール記憶手段と、
外部からの操作を受け付けて、受け付けられた操作入力に基づいて、前記ルール情報を生成又は変更して前記ルール記憶手段に格納するルール受付手段と、
前記種別判定手段によって判定されたジャンルに対応するルール情報をルール記憶手段から読み出して、読み出されたルールに従って、前記位置記憶手段に格納された画像識別情報及び位置情報に基づいて、前記第２映像情報の前記第１映像情報における範囲を示す始点位置情報及び終点位置情報を生成すると共に、生成された始点位置情報及び終点位置情報を前記第１映像記憶手段に、前記第１映像情報と対応付けて格納する位置特定手段と、
前記第１映像記憶手段に格納された前記第２映像情報の始点位置情報及び終点位置情報に基づいて、前記第２映像情報を外部から視認可能に前記テレビ受信機に配設されたモニタに表示する映像再生手段と、
を備え、
前記ジャンルは、得点の多寡を競うスポーツである対戦型スポーツ番組、及び、少なくとも１の特定内容のコーナを含むバラエティー番組を含み、
前記特定画像記憶手段は、前記対戦型スポーツ番組に対応する特定画像情報として、得点を表示する領域の画像情報を格納すると共に、前記バラエティー番組に対応する特定画像情報として、前記１の特定内容のコーナが開始する旨を表示する文字情報の領域の画像情報を格納し、
前記ルール記憶手段は、
前記対戦型スポーツ番組に対応するルール情報として、前記位置記憶手段に格納された画像識別情報が変化する位置を基準位置とし、該基準位置から予め設定された所定時間前の位置を前記始点位置情報として生成し、該基準位置から予め設定された所定時間後の位置情報を前記終点位置情報として生成するとのルールを示すルール情報を格納すると共に、
前記バラエティー番組に対応するルール情報として、前記位置記憶手段に格納された画像識別情報と一致する位置を基準位置とし、該基準位置から予め設定された所定時間前の位置を前記始点位置情報として生成し、該基準位置から予め設定された所定時間後の位置情報を前記終点位置情報として生成するとのルールを示すルール情報を格納することを特徴とする映像記録再生装置。
【請求項２】
映像情報を取得して格納すると共に、取得された映像情報である第１映像情報に含まれ、ユーザが視聴を所望するシーンであるハイライトシーンを含む映像情報である第２映像情報の前記第１映像情報における範囲を特定する映像記録装置であって、
前記第１映像情報を格納する第１映像記憶手段と、
前記ハイライトシーンの映像情報の特徴を表す静止画像情報である複数の特定画像情報を、各特定画像情報を識別する識別情報である画像識別情報と対応付けて格納する特定画像記憶手段と、
前記第１映像情報から予め設定された所定時間毎の静止画像情報を生成する静止画像生成手段と、
前記静止画像生成手段によって生成された静止画像情報毎に、前記特定画像記憶手段に格納された各特定画像情報との一致の程度を評価し、一致の程度を示すマッチング率を生成する一致度評価手段と、
前記一致度評価手段によって生成されたマッチング率が予め設定された所定の閾値以上であるか否かを判定する一致度判定手段と、
前記画像識別情報を、前記静止画像情報の前記第１映像情報における位置を示す位置情報と対応付けて格納可能な位置記憶手段と、
前記一致度判定手段によって所定の閾値以上であると判定された場合に、特定画像情報に対応する画像識別情報を前記特定画像記憶手段から読み出して、静止画像情報に対応する位置情報と対応付けて前記位置記憶手段に格納する位置生成手段と、
前記位置記憶手段に格納された画像識別情報及び位置情報に基づいて、予め設定されたルールに従って、前記第２映像情報の前記第１映像情報における範囲を示す始点位置情報及び終点位置情報を生成すると共に、生成された始点位置情報及び終点位置情報を前記第１映像記憶手段に、前記第１映像情報と対応付けて格納する位置特定手段と、
を備えることを特徴とする映像記録装置。
【請求項３】
前記特定画像記憶手段は、特定画像情報として、画面の一部の領域である特定領域に表示される文字情報に対応する画像情報を格納し、
前記一致度評価手段は、前記特定領域における画素毎に、前記静止画像情報と特定画像情報との一致の程度を評価することを特徴とする請求項２に記載の映像記録装置。
【請求項４】
前記第１映像情報のジャンルを判定する種別判定手段を備え、
前記特定画像記憶手段は、前記第１映像情報のジャンル毎に複数の特定画像情報及び画像識別情報を格納しており、
前記一致度評価手段は、前記種別判定手段によって判定されたジャンルに対応する特定画像情報との一致の程度を評価することを特徴とする請求項２又は請求項３に記載の映像記録装置。
【請求項５】
前記位置特定手段は、前記種別判定手段によって判定されたジャンルに基づいて、前記第２映像情報の前記第１映像情報における範囲を示す位置情報を生成することを特徴とする請求項４に記載の映像記録装置。
【請求項６】
前記第１映像情報のジャンルを示すジャンル情報と対応付けて、前記位置特定手段が位置情報を生成するルールを規定する情報であるルール情報を格納するルール記憶手段を備え、
前記位置特定手段は、前記種別判定手段によって判定されたジャンルに対応するルール情報をルール記憶手段から読み出して、読み出されたルールに従って、前記第１映像情報における範囲を示す位置情報を生成することを特徴とする請求項５に記載の映像記録装置。
【請求項７】
外部からの操作を受け付けて、受け付けられた操作入力に基づいて、前記ルール情報を生成又は変更して前記ルール記憶手段に格納するルール受付手段を備えることを特徴とする請求項６に記載の映像記録装置。
【請求項８】
前記ジャンルは、得点の多寡を競うスポーツである対戦型スポーツ番組を含み、
前記特定画像記憶手段は、前記対戦型スポーツ番組に対応する特定画像情報として、得点を表示する領域の画像情報を格納し、
前記ルール記憶手段は、前記対戦型スポーツ番組に対応するルール情報として、前記位置記憶手段に格納された画像識別情報が変化する位置を基準位置とし、該基準位置から予め設定された所定時間前の位置を前記始点位置情報として生成し、該基準位置から予め設定された所定時間後の位置情報を前記終点位置情報として生成するとのルールを示すルール情報を格納することを特徴とする請求項６又は請求項７に記載の映像記録装置。
【請求項９】
前記ジャンルは、少なくとも１の特定内容のコーナを含むバラエティー番組を含み、
前記特定画像記憶手段は、前記バラエティー番組に対応する特定画像情報として、前記１の特定内容のコーナが開始する旨を表示する文字情報の領域の画像情報を格納し、
前記ルール記憶手段は、前記バラエティー番組に対応するルール情報として、前記位置記憶手段に格納された画像識別情報と一致する位置を基準位置とし、該基準位置から予め設定された所定時間前の位置を前記始点位置情報として生成し、該基準位置から予め設定された所定時間後の位置情報を前記終点位置情報として生成するとのルールを示すルール情報を格納することを特徴とする請求項６〜請求項８のいずれかに記載の映像記録装置。
【請求項１０】
テレビジョン放送を受信するテレビ受信機と通信可能に接続され、前記第１映像情報を前記テレビ受信機から取得し、前記第１映像記憶手段に格納する映像取得手段を備えることを特徴とする請求項２〜請求項９のいずれかに記載の映像記録装置。
【請求項１１】
請求項２〜請求項１０のいずれかに記載の映像記録装置と、
前記第１映像記憶手段に格納された前記第２映像情報の始点位置情報及び終点位置情報に基づいて、前記第２映像情報を再生し、外部から視認可能にモニタに表示する映像再生手段と、
を備えることを特徴とする映像記録再生装置。
【請求項１２】
請求項２〜請求項１０のいずれかに記載の映像記録装置と、
前記第２映像情報を格納する第２映像記憶手段と、
前記第１映像記憶手段に格納された前記第２映像情報の始点位置情報及び終点位置情報に基づいて、前記第１映像情報から前記第２映像情報を抽出して、前記第２映像記憶手段に格納する映像抽出手段と、
を備えることを特徴とする映像編集装置。
【発明の詳細な説明】
【技術分野】
【０００１】
本発明は、映像情報を取得して格納すると共に、取得された映像情報である第１映像情報に含まれ、ユーザが視聴を所望するシーンであるハイライトシーンを含む映像情報である第２映像情報の前記第１映像情報における範囲を特定する映像記録装置、映像記録再生装置及び映像編集装置に関する。特に、テレビジョン放送を受信するテレビ受信機から取得した第１映像情報を、ＨＤ（Ｈａｒｄ  Ｄｉｓｋ）、ＤＶＤ（Ｄｉｇｉｔａｌ  Ｖｅｒｓａｔｉｌｅ  Ｄｉｓｋ）等に格納すると共に、前記第１映像情報に含まれ、ハイライトシーンを含む映像情報である第２映像情報を再生し、外部から視認可能にモニタに表示する映像記録再生装置に関する。また、ＨＤ、ＤＶＤ等に格納された第１映像情報を読み出し、前記第１映像情報に含まれ、ハイライトシーンを含む映像情報である第２映像情報をＨＤ、ＤＶＤ等に格納する映像編集装置に関する。
【背景技術】
【０００２】
近年、デジタル放送の普及に伴い、テレビジョン放送の多チャンネル化が進んでいる。この様な多チャンネル化に伴い、膨大な数の番組が放送されている。また、ＨＤ（Ｈａｒｄ  Ｄｉｓｋ）レコーダ等の映像を記録可能なレコーダの大容量化に伴い、多数の番組をＨＤ等の記録媒体に格納可能になってきている。そこで、ユーザから、ＨＤ等の記録媒体に格納された番組の中から、決定的なシーン、盛り上がったシーン等（以下、「ハイライトシーン」という）を抽出して視聴したいという要求が強くなっている。
【０００３】
上記要求に応えるべく種々の装置が提案されている。例えば、音声データの左右チャンネル間差分によりアナウンサー及び解説者の音声を除去した差分音声データのパワーが一定期間継続的に閾値を超える区間の開始時刻及び終了時刻を表すダイジェスト情報を作成し、映像情報と共に媒体に記録して、ダイジェスト情報が表すハイライトシーンの開始時刻及び終了時刻にそれぞれ対応した映像情報中のアドレスを表すアドレステーブルを参照して映像情報の中からダイジェスト情報に対応するハイライトシーンだけを再生する番組要約装置が開示されている（特許文献１参照）。
【特許文献１】特開２００６−１２９３６３号公報
【発明の開示】
【発明が解決しようとする課題】
【０００４】
しかしながら、上記番組要約装置では、ハイライトシーンであるか否かの判別を音声データのパワーに基づいて決定しているが、音声データのパワーに基づいてハイライトシーンであるか否かを判定することが困難な場合がある。例えば、得点の多寡を競うスポーツである対戦型スポーツ番組では、ユーザは、ハイライトシーンとして得点シーンの視聴を所望することが多いが、このような場合に、音声データのパワーが低い得点シーンが発生することがある（例えば、サッカー中継において、アウェイチームの得点シーンでは音声データのパワーが低い場合がある）。
【０００５】
また、例えば、ユーザがバラエティー番組等における特定のコーナの視聴を所望する場合（特定のコーナがハイライトシーンに相当する場合）には、上記番組要約装置では、ハイライトシーンを判定することが困難である。
【０００６】
上記の課題に鑑みて、本発明は、ハイライトシーンを的確に判定することの可能な映像記録装置、映像記録再生装置及び映像編集装置を提供することを目的としている。
【課題を解決するための手段】
【０００７】
上記目的を達成するために請求項１に記載の映像記録再生装置は、テレビジョン放送を受信するテレビ受信機と通信可能に接続され、映像情報を前記テレビ受信機から取得して格納すると共に、取得された映像情報である第１映像情報に含まれ、ユーザが視聴を所望するシーンであるハイライトシーンを含む映像情報である第２映像情報の前記第１映像情報における範囲を特定して前記第２映像情報を再生し外部から視認可能に前記テレビ受信機に配設されたモニタに表示する映像記録再生装置であって、前記テレビ受信機から前記第１映像情報を取得する映像取得手段と、前記映像取得手段によって取得された第１映像情報を格納する第１映像記憶手段と、前記第１映像情報のジャンルを判定する種別判定手段と、前記第１映像情報のジャンル毎に、前記ハイライトシーンの映像情報の特徴を表す静止画像情報であって、画面の一部の領域である特定領域に表示される文字情報に対応する画像情報である複数の特定画像情報を、各特定画像情報を識別する識別情報である画像識別情報と対応付けて格納する特定画像記憶手段と、前記第１映像情報から予め設定された所定時間毎の静止画像情報を生成する静止画像生成手段と、前記静止画像生成手段によって生成された静止画像情報毎に、前記特定画像記憶手段に格納された特定画像情報の内、前記種別判定手段によって判定されたジャンルに対応する各特定画像情報との一致の程度を前記特定領域における画素毎に評価し、一致の程度を示すマッチング率を生成する一致度評価手段と、前記一致度評価手段によって生成されたマッチング率が予め設定された所定の閾値以上であるか否かを判定する一致度判定手段と、前記画像識別情報を、前記静止画像情報の前記第１映像情報における位置を示す位置情報と対応付けて格納可能な位置記憶手段と、前記一致度判定手段によって所定の閾値以上であると判定された場合に、特定画像情報に対応する画像識別情報を前記特定画像記憶手段から読み出して、静止画像情報に対応する位置情報と対応付けて前記位置記憶手段に格納する位置生成手段と、前記第１映像情報のジャンルを示すジャンル情報と対応付けて、ルールを規定する情報であるルール情報を格納するルール記憶手段と、外部からの操作を受け付けて、受け付けられた操作入力に基づいて、前記ルール情報を生成又は変更して前記ルール記憶手段に格納するルール受付手段と、前記種別判定手段によって判定されたジャンルに対応するルール情報をルール記憶手段から読み出して、読み出されたルールに従って、前記位置記憶手段に格納された画像識別情報及び位置情報に基づいて、前記第２映像情報の前記第１映像情報における範囲を示す始点位置情報及び終点位置情報を生成すると共に、生成された始点位置情報及び終点位置情報を前記第１映像記憶手段に、前記第１映像情報と対応付けて格納する位置特定手段と、前記第１映像記憶手段に格納された前記第２映像情報の始点位置情報及び終点位置情報に基づいて、前記第２映像情報を外部から視認可能に前記テレビ受信機に配設されたモニタに表示する映像再生手段と、を備え、前記ジャンルが、得点の多寡を競うスポーツである対戦型スポーツ番組、及び、少なくとも１の特定内容のコーナを含むバラエティー番組を含み、前記特定画像記憶手段が、前記対戦型スポーツ番組に対応する特定画像情報として、得点を表示する領域の画像情報を格納すると共に、前記バラエティー番組に対応する特定画像情報として、前記１の特定内容のコーナが開始する旨を表示する文字情報の領域の画像情報を格納し、前記ルール記憶手段が、前記対戦型スポーツ番組に対応するルール情報として、前記位置記憶手段に格納された画像識別情報が変化する位置を基準位置とし、該基準位置から予め設定された所定時間前の位置を前記始点位置情報として生成し、該基準位置から予め設定された所定時間後の位置情報を前記終点位置情報として生成するとのルールを示すルール情報を格納すると共に、前記バラエティー番組に対応するルール情報として、前記位置記憶手段に格納された画像識別情報と一致する位置を基準位置とし、該基準位置から予め設定された所定時間前の位置を前記始点位置情報として生成し、該基準位置から予め設定された所定時間後の位置情報を前記終点位置情報として生成するとのルールを示すルール情報を格納することを特徴としている。
【０００８】
請求項２に記載の映像記録装置は、映像情報を取得して格納すると共に、取得された映像情報である第１映像情報に含まれ、ユーザが視聴を所望するシーンであるハイライトシーンを含む映像情報である第２映像情報の前記第１映像情報における範囲を特定する映像記録装置であって、前記第１映像情報を格納する第１映像記憶手段と、前記ハイライトシーンの映像情報の特徴を表す静止画像情報である複数の特定画像情報を、各特定画像情報を識別する識別情報である画像識別情報と対応付けて格納する特定画像記憶手段と、前記第１映像情報から予め設定された所定時間毎の静止画像情報を生成する静止画像生成手段と、前記静止画像生成手段によって生成された静止画像情報毎に、前記特定画像記憶手段に格納された各特定画像情報との一致の程度を評価し、一致の程度を示すマッチング率を生成する一致度評価手段と、前記一致度評価手段によって生成されたマッチング率が予め設定された所定の閾値以上であるか否かを判定する一致度判定手段と、前記画像識別情報を、前記静止画像情報の前記第１映像情報における位置を示す位置情報と対応付けて格納可能な位置記憶手段と、前記一致度判定手段によって所定の閾値以上であると判定された場合に、特定画像情報に対応する画像識別情報を前記特定画像記憶手段から読み出して、静止画像情報に対応する位置情報と対応付けて前記位置記憶手段に格納する位置生成手段と、前記位置記憶手段に格納された画像識別情報及び位置情報に基づいて、予め設定されたルールに従って、前記第２映像情報の前記第１映像情報における範囲を示す始点位置情報及び終点位置情報を生成すると共に、生成された始点位置情報及び終点位置情報を前記第１映像記憶手段に、前記第１映像情報と対応付けて格納する位置特定手段と、を備えることを特徴としている。
【０００９】
請求項３に記載の映像記録装置は、請求項２に記載の映像記録装置であって、前記特定画像記憶手段が、特定画像情報として、画面の一部の領域である特定領域に表示される文字情報に対応する画像情報を格納し、前記一致度評価手段が、前記特定領域における画素毎に、前記静止画像情報と特定画像情報との一致の程度を評価することを特徴としている。
【００１０】
請求項４に記載の映像記録装置は、請求項２又は請求項３に記載の映像記録装置であって、前記第１映像情報のジャンルを判定する種別判定手段を備え、前記特定画像記憶手段が、前記第１映像情報のジャンル毎に複数の特定画像情報及び画像識別情報を格納しており、前記一致度評価手段が、前記種別判定手段によって判定されたジャンルに対応する特定画像情報との一致の程度を評価することを特徴としている。
【００１１】
請求項５に記載の映像記録装置は、請求項４に記載の映像記録装置であって、前記位置特定手段が、前記種別判定手段によって判定されたジャンルに基づいて、前記第２映像情報の前記第１映像情報における範囲を示す位置情報を生成することを特徴としている。
【００１２】
請求項６に記載の映像記録装置は、請求項５に記載の映像記録装置であって、前記第１映像情報のジャンルを示すジャンル情報と対応付けて、前記位置特定手段が位置情報を生成するルールを規定する情報であるルール情報を格納するルール記憶手段を備え、前記位置特定手段が、前記種別判定手段によって判定されたジャンルに対応するルール情報をルール記憶手段から読み出して、読み出されたルールに従って、前記第１映像情報における範囲を示す位置情報を生成することを特徴としている。
【００１３】
請求項７に記載の映像記録装置は、請求項６に記載の映像記録装置であって、外部からの操作を受け付けて、受け付けられた操作入力に基づいて、前記ルール情報を生成又は変更して前記ルール記憶手段に格納するルール受付手段を備えることを特徴としている。
【００１４】
請求項８に記載の映像記録装置は、請求項６又は請求項７に記載の映像記録装置であって、前記ジャンルが、得点の多寡を競うスポーツである対戦型スポーツ番組を含み、前記特定画像記憶手段が、前記対戦型スポーツ番組に対応する特定画像情報として、得点を表示する領域の画像情報を格納し、前記ルール記憶手段が、前記対戦型スポーツ番組に対応するルール情報として、前記位置記憶手段に格納された画像識別情報が変化する位置を基準位置とし、該基準位置から予め設定された所定時間前の位置を前記始点位置情報として生成し、該基準位置から予め設定された所定時間後の位置情報を前記終点位置情報として生成するとのルールを示すルール情報を格納することを特徴としている。
【００１５】
請求項９に記載の映像記録装置は、請求項６〜請求項８のいずれかに記載の映像記録装置であって、前記ジャンルが、少なくとも１の特定内容のコーナを含むバラエティー番組を含み、前記特定画像記憶手段が、前記バラエティー番組に対応する特定画像情報として、前記１の特定内容のコーナが開始する旨を表示する文字情報の領域の画像情報を格納し、前記ルール記憶手段が、前記バラエティー番組に対応するルール情報として、前記位置記憶手段に格納された画像識別情報と一致する位置を基準位置とし、該基準位置から予め設定された所定時間前の位置を前記始点位置情報として生成し、該基準位置から予め設定された所定時間後の位置情報を前記終点位置情報として生成するとのルールを示すルール情報を格納することを特徴としている。
【００１６】
請求項１０に記載の映像記録装置は、請求項２〜請求項９のいずれかに記載の映像記録装置であって、テレビジョン放送を受信するテレビ受信機と通信可能に接続され、前記第１映像情報を前記テレビ受信機から取得し、前記第１映像記憶手段に格納する映像取得手段を備えることを特徴としている。
【００１７】
請求項１１に記載の映像記録再生装置は、請求項２〜請求項１０のいずれかに記載の映像記録装置と、前記第１映像記憶手段に格納された前記第２映像情報の始点位置情報及び終点位置情報に基づいて、前記第２映像情報を再生し、外部から視認可能にモニタに表示する映像再生手段と、を備えることを特徴としている。
【００１８】
請求項１２に記載の映像編集装置は、請求項２〜請求項１０のいずれかに記載の映像記録装置と、前記第２映像情報を格納する第２映像記憶手段と、前記第１映像記憶手段に格納された前記第２映像情報の始点位置情報及び終点位置情報に基づいて、前記第１映像情報から前記第２映像情報を抽出して、前記第２映像記憶手段に格納する映像抽出手段と、を備えることを特徴としている。
【発明の効果】
【００１９】
請求項１に記載の映像記録再生装置によれば、第１映像記憶手段に、取得された映像情報である第１映像情報が格納され、特定画像記憶手段に、ユーザが視聴を所望するシーンであるハイライトシーンの映像情報の特徴を表す静止画像情報である複数の特定画像情報が、各特定画像情報を識別する識別情報である画像識別情報と対応付けて格納されている。そして、第１映像情報から予め設定された所定時間毎の静止画像情報が生成され、生成された静止画像情報毎に、特定画像記憶手段に格納された各特定画像情報との一致の程度が評価され、一致の程度を示すマッチング率が生成される。また、生成されたマッチング率が予め設定された所定の閾値以上であるか否かが判定され、所定の閾値以上であると判定された場合に、特定画像情報に対応する画像識別情報が特定画像記憶手段から読み出されて、静止画像情報に対応する位置情報と対応付けて位置記憶手段に格納される。更に、位置記憶手段に格納された画像識別情報及び位置情報に基づいて、予め設定されたルールに従って、ハイライトシーンを含む映像情報である第２映像情報の第１映像情報における範囲を示す始点位置情報及び終点位置情報が生成されると共に、生成された始点位置情報及び終点位置情報が第１映像記憶手段に、第１映像情報と対応付けて格納されるため、ハイライトシーンを的確に判定することができる。
【００２０】
すなわち、ハイライトシーンの映像情報の特徴を表す静止画像情報である特定画像情報との一致の程度（＝マッチング率）が所定の閾値以上である場合に、該特定画像情報の画像識別情報及び位置情報に基づいて、ハイライトシーンを含む映像情報である第２映像情報の第１映像情報における範囲を示す始点位置情報及び終点位置情報が生成されるため、ハイライトシーンを的確に判定することができるのである。
【００２１】
つまり、例えば、第１映像情報が野球中継である場合に、特定画像情報として得点を表示する領域の画像情報を設定することによって、マッチング率が所定の閾値以上である特定画像情報が、得点シーンの前後で変化するため、得点シーン（＝ハイライトシーン）を的確に判定することができるのである。
【００２２】
また、例えば、第１映像情報がバラエティー番組である場合に、特定画像情報として１の特定内容のコーナが開始する旨を表示する文字情報の領域の画像情報を設定することによって、１の特定内容のコーナが開始する時点で、該コーナの開始時に表示される特定画像情報とのマッチング率が所定の閾値以上となるため、１の特定内容のコーナ（＝ハイライトシーン）を的確に判定することができるのである。
【００２３】
また、特定画像記憶手段において、特定画像情報として、画面の一部の領域である特定領域に表示される文字情報に対応する画像情報が格納され、特定領域における画素毎に、静止画像情報と特定画像情報との一致の程度が評価されるため、ハイライトシーンを更に的確に且つ容易に判定することができる。
【００２４】
すなわち、特定領域における画素毎に、静止画像情報と特定画像情報との一致の程度（＝マッチング率）が評価されるため、マッチング率を正確に且つ容易に求めることができるので、ハイライトシーンを更に的確に且つ容易に判定することができるのである。
【００２５】
また、例えば、第１映像情報が野球中継である場合に、特定領域に表示される文字情報として得点を表示する領域の画像情報を設定することによって、マッチング率が所定の閾値以上である特定画像情報が、得点シーンの前後で変化するため、得点シーン（＝ハイライトシーン）を的確に判定することができるのである。
【００２６】
更に、例えば、第１映像情報がバラエティー番組である場合に、特定領域に表示される文字情報として１の特定内容のコーナが開始する旨を表示する文字情報の領域の画像情報を設定することによって、１の特定内容のコーナが開始する時点で、該コーナの開始時に表示される特定画像情報とのマッチング率が所定の閾値以上となるため、１の特定内容のコーナ（＝ハイライトシーン）を的確に判定することができるのである。
【００２７】
更に、特定画像記憶手段に、第１映像情報のジャンル毎に複数の特定画像情報及び画像識別情報が格納されており、第１映像情報のジャンルが判定され、判定されたジャンルに対応する特定画像情報との一致の程度が評価されるため、ハイライトシーンを的確に且つ効率的に判定することができる。
【００２８】
すなわち、マッチング率を求める対象である特定画像情報が、第１映像情報のジャンル毎に格納されているため、効率的にマッチング率を求めることができる（＝マッチング率が所定の閾値以上である特定画像情報を効率的に特定することができる）ので、ハイライトシーンを的確に且つ効率的に判定することができるのである。
【００２９】
加えて、ルール記憶手段に、第１映像情報のジャンルを示すジャンル情報と対応付けて、位置情報を生成するルールを規定する情報であるルール情報が格納されており、第１映像情報のジャンルに対応するルール情報がルール記憶手段から読み出されて、読み出されたルールに従って、第１映像情報における範囲を示す位置情報が生成されるため、ハイライトシーンを含む映像情報である第２映像情報の更に的確な位置情報を生成することができる。
【００３０】
すなわち、例えば、第１映像情報が野球中継である場合に、第２映像情報の位置情報として得点シーン（＝ハイライトシーン）を第２映像情報の後半に含むようにルール情報を設定する（例えば、得点シーンの１２０秒前から得点シーンの６０秒後までを第２映像情報の位置情報として設定する）ことによって、第２映像情報の的確な位置情報を生成することができるのである。
【００３１】
更に、例えば、第１映像情報がバラエティー番組である場合に、第２映像情報の位置情報として、１の特定内容のコーナ（＝ハイライトシーン）が開始する旨を表示する画像情報を第２映像情報の略先頭位置に含むようにルール情報を設定する（例えば、コーナが開始する旨を表示するシーンの１０秒前から得点シーンの３００秒後までを第２映像情報の位置情報として設定する）ことによって、第２映像情報の的確な位置情報を生成することができるのである。
【００３２】
また、外部からの操作が受け付けられて、受け付けられた操作入力に基づいて、ルール情報が生成又は変更されてルール記憶手段に格納されるため、ハイライトシーンを含む映像情報である第２映像情報の更に的確な位置情報を生成することができる。
【００３３】
すなわち、第２映像情報の位置情報として、ユーザが所望する位置情報を、ルール情報を介して設定することができるため、ハイライトシーンを含む映像情報である第２映像情報の更に的確な位置情報を生成することができるのである。
【００３４】
つまり、例えば、第１映像情報が野球中継である場合に、始点位置と得点シーン（＝ハイライトシーン）との間の時間、及び、第２映像情報の終点位置と得点シーン（＝ハイライトシーン）との間の時間、を設定（又は変更）可能とすることによって、第２映像情報の更に的確な位置情報を生成することができるのである。
【００３５】
更に、特定画像記憶手段に、得点の多寡を競うスポーツである対戦型スポーツ番組に対応する特定画像情報として、得点を表示する領域の画像情報が格納されており、ルール記憶手段に、対戦型スポーツ番組に対応するルール情報として、位置記憶手段に格納された画像識別情報が変化する位置（＝得点シーンの位置）を基準位置とし、該基準位置から予め設定された所定時間前の位置を第２映像情報の始点位置情報として生成し、該基準位置から予め設定された所定時間後の位置情報を第２映像情報の終点位置情報として生成するとのルールを示すルール情報が格納されているため、第２映像情報の更に的確な位置情報を生成することができる。
【００３６】
すなわち、第１映像情報が得点の多寡を競うスポーツである対戦型スポーツ番組（例えば、野球中継番組）である場合に、第２映像情報の始点位置が、基準位置（＝得点シーンの位置）から予め設定された所定時間前（例えば、１２０秒前）の位置に設定され、第２映像情報の終点位置が、基準位置（＝得点シーンの位置）から予め設定された所定時間後（例えば、６０秒後）の位置に設定されるため、第２映像情報の更に的確な位置情報を生成することができるのである。
【００３７】
加えて、特定画像記憶手段に、少なくとも１の特定内容のコーナを含むバラエティー番組に対応する特定画像情報として、１の特定内容のコーナが開始する旨を表示する文字情報の領域の画像情報が格納されており、ルール記憶手段に、バラエティー番組に対応するルール情報として、位置記憶手段に格納された画像識別情報と一致する位置（＝特定内容のコーナの開始位置）を基準位置とし、該基準位置から予め設定された所定時間前の位置を始点位置情報として生成し、該基準位置から予め設定された所定時間後の位置情報を終点位置情報として生成するとのルールを示すルール情報が格納されているため、第２映像情報の更に的確な位置情報を生成することができる。
【００３８】
すなわち、第１映像情報が少なくとも１の特定内容のコーナを含むバラエティー番組である場合に、第２映像情報の始点位置が、基準位置（＝特定内容のコーナの開始位置）から予め設定された所定時間前（例えば、１０秒前）の位置に設定され、第２映像情報の終点位置が、基準位置（＝特定内容のコーナの開始位置）から予め設定された所定時間後（例えば、３００秒後）の位置に設定されるため、第２映像情報の更に的確な位置情報を生成することができるのである。
【００３９】
また、テレビジョン放送を受信するテレビ受信機と通信可能に接続され、第１映像情報がテレビ受信機から取得され、第１映像記憶手段に格納されるため、テレビジョン放送を介して受信される第１映像情報のハイライトシーンを的確に判定することができる。
【００４０】
更に、第１映像記憶手段に格納された第２映像情報の始点位置情報及び終点位置情報に基づいて、第２映像情報が再生され、外部から視認可能にテレビ受信機に配設されたモニタに表示されるため、第１映像情報のハイライトシーンを的確に再生することができる。
【００４１】
請求項２に記載の映像記録装置によれば、第１映像記憶手段に、取得された映像情報である第１映像情報が格納され、特定画像記憶手段に、ユーザが視聴を所望するシーンであるハイライトシーンの映像情報の特徴を表す静止画像情報である複数の特定画像情報が、各特定画像情報を識別する識別情報である画像識別情報と対応付けて格納されている。そして、第１映像情報から予め設定された所定時間毎の静止画像情報が生成され、生成された静止画像情報毎に、特定画像記憶手段に格納された各特定画像情報との一致の程度が評価され、一致の程度を示すマッチング率が生成される。また、生成されたマッチング率が予め設定された所定の閾値以上であるか否かが判定され、所定の閾値以上であると判定された場合に、特定画像情報に対応する画像識別情報が特定画像記憶手段から読み出されて、静止画像情報に対応する位置情報と対応付けて位置記憶手段に格納される。更に、位置記憶手段に格納された画像識別情報及び位置情報に基づいて、予め設定されたルールに従って、ハイライトシーンを含む映像情報である第２映像情報の第１映像情報における範囲を示す始点位置情報及び終点位置情報が生成されると共に、生成された始点位置情報及び終点位置情報が第１映像記憶手段に、第１映像情報と対応付けて格納されるため、ハイライトシーンを的確に判定することができる。
【００４２】
すなわち、ハイライトシーンの映像情報の特徴を表す静止画像情報である特定画像情報との一致の程度（＝マッチング率）が所定の閾値以上である場合に、該特定画像情報の画像識別情報及び位置情報に基づいて、ハイライトシーンを含む映像情報である第２映像情報の第１映像情報における範囲を示す始点位置情報及び終点位置情報が生成されるため、ハイライトシーンを的確に判定することができるのである。
【００４３】
つまり、例えば、第１映像情報が野球中継である場合に、特定画像情報として得点を表示する領域の画像情報を設定することによって、マッチング率が所定の閾値以上である特定画像情報が、得点シーンの前後で変化するため、得点シーン（＝ハイライトシーン）を的確に判定することができるのである。
【００４４】
また、例えば、第１映像情報がバラエティー番組である場合に、特定画像情報として１の特定内容のコーナが開始する旨を表示する文字情報の領域の画像情報を設定することによって、１の特定内容のコーナが開始する時点で、該コーナの開始時に表示される特定画像情報とのマッチング率が所定の閾値以上となるため、１の特定内容のコーナ（＝ハイライトシーン）を的確に判定することができるのである。
【００４５】
請求項３に記載の映像記録装置によれば、特定画像記憶手段において、特定画像情報として、画面の一部の領域である特定領域に表示される文字情報に対応する画像情報が格納され、特定領域における画素毎に、静止画像情報と特定画像情報との一致の程度が評価されるため、ハイライトシーンを更に的確に且つ容易に判定することができる。
【００４６】
すなわち、特定領域における画素毎に、静止画像情報と特定画像情報との一致の程度（＝マッチング率）が評価されるため、マッチング率を正確に且つ容易に求めることができるので、ハイライトシーンを更に的確に且つ容易に判定することができるのである。
【００４７】
また、例えば、第１映像情報が野球中継である場合に、特定領域に表示される文字情報として得点を表示する領域の画像情報を設定することによって、マッチング率が所定の閾値以上である特定画像情報が、得点シーンの前後で変化するため、得点シーン（＝ハイライトシーン）を的確に判定することができるのである。
【００４８】
更に、例えば、第１映像情報がバラエティー番組である場合に、特定領域に表示される文字情報として１の特定内容のコーナが開始する旨を表示する文字情報の領域の画像情報を設定することによって、１の特定内容のコーナが開始する時点で、該コーナの開始時に表示される特定画像情報とのマッチング率が所定の閾値以上となるため、１の特定内容のコーナ（＝ハイライトシーン）を的確に判定することができるのである。
【００４９】
請求項４に記載の映像記録装置によれば、特定画像記憶手段に、第１映像情報のジャンル毎に複数の特定画像情報及び画像識別情報が格納されており、第１映像情報のジャンルが判定され、判定されたジャンルに対応する特定画像情報との一致の程度が評価されるため、ハイライトシーンを的確に且つ効率的に判定することができる。
【００５０】
すなわち、マッチング率を求める対象である特定画像情報が、第１映像情報のジャンル毎に格納されているため、効率的にマッチング率を求めることができる（＝マッチング率が所定の閾値以上である特定画像情報を効率的に特定することができる）ので、ハイライトシーンを的確に且つ効率的に判定することができるのである。
【００５１】
請求項５に記載の映像記録装置によれば、第１映像情報のジャンルに基づいて、第２映像情報の第１映像情報における範囲を示す位置情報が生成されるため、ハイライトシーンを含む映像情報である第２映像情報の的確な位置情報を生成することができる。
【００５２】
請求項６に記載の映像記録装置によれば、ルール記憶手段に、第１映像情報のジャンルを示すジャンル情報と対応付けて、位置情報を生成するルールを規定する情報であるルール情報が格納されており、第１映像情報のジャンルに対応するルール情報がルール記憶手段から読み出されて、読み出されたルールに従って、第１映像情報における範囲を示す位置情報が生成されるため、ハイライトシーンを含む映像情報である第２映像情報の更に的確な位置情報を生成することができる。
【００５３】
すなわち、例えば、第１映像情報が野球中継である場合に、第２映像情報の位置情報として得点シーン（＝ハイライトシーン）を第２映像情報の後半に含むようにルール情報を設定する（例えば、得点シーンの１２０秒前から得点シーンの６０秒後までを第２映像情報の位置情報として設定する）ことによって、第２映像情報の的確な位置情報を生成することができるのである。
【００５４】
更に、例えば、第１映像情報がバラエティー番組である場合に、第２映像情報の位置情報として、１の特定内容のコーナ（＝ハイライトシーン）が開始する旨を表示する画像情報を第２映像情報の略先頭位置に含むようにルール情報を設定する（例えば、コーナが開始する旨を表示するシーンの１０秒前から得点シーンの３００秒後までを第２映像情報の位置情報として設定する）ことによって、第２映像情報の的確な位置情報を生成することができるのである。
【００５５】
請求項７に記載の映像記録装置によれば、外部からの操作が受け付けられて、受け付けられた操作入力に基づいて、ルール情報が生成又は変更されてルール記憶手段に格納されるため、ハイライトシーンを含む映像情報である第２映像情報の更に的確な位置情報を生成することができる。
【００５６】
すなわち、第２映像情報の位置情報として、ユーザが所望する位置情報を、ルール情報を介して設定することができるため、ハイライトシーンを含む映像情報である第２映像情報の更に的確な位置情報を生成することができるのである。
【００５７】
つまり、例えば、第１映像情報が野球中継である場合に、始点位置と得点シーン（＝ハイライトシーン）との間の時間、及び、第２映像情報の終点位置と得点シーン（＝ハイライトシーン）との間の時間、を設定（又は変更）可能とすることによって、第２映像情報の更に的確な位置情報を生成することができるのである。
【００５８】
請求項８に記載の映像記録装置によれば、特定画像記憶手段に、得点の多寡を競うスポーツである対戦型スポーツ番組に対応する特定画像情報として、得点を表示する領域の画像情報が格納されており、ルール記憶手段に、対戦型スポーツ番組に対応するルール情報として、位置記憶手段に格納された画像識別情報が変化する位置（＝得点シーンの位置）を基準位置とし、該基準位置から予め設定された所定時間前の位置を第２映像情報の始点位置情報として生成し、該基準位置から予め設定された所定時間後の位置情報を第２映像情報の終点位置情報として生成するとのルールを示すルール情報が格納されているため、第２映像情報の更に的確な位置情報を生成することができる。
【００５９】
すなわち、第１映像情報が得点の多寡を競うスポーツである対戦型スポーツ番組（例えば、野球中継番組）である場合に、第２映像情報の始点位置が、基準位置（＝得点シーンの位置）から予め設定された所定時間前（例えば、１２０秒前）の位置に設定され、第２映像情報の終点位置が、基準位置（＝得点シーンの位置）から予め設定された所定時間後（例えば、６０秒後）の位置に設定されるため、第２映像情報の更に的確な位置情報を生成することができるのである。
【００６０】
請求項９に記載の映像記録装置によれば、特定画像記憶手段に、少なくとも１の特定内容のコーナを含むバラエティー番組に対応する特定画像情報として、１の特定内容のコーナが開始する旨を表示する文字情報の領域の画像情報が格納されており、ルール記憶手段に、バラエティー番組に対応するルール情報として、位置記憶手段に格納された画像識別情報と一致する位置（＝特定内容のコーナの開始位置）を基準位置とし、該基準位置から予め設定された所定時間前の位置を始点位置情報として生成し、該基準位置から予め設定された所定時間後の位置情報を終点位置情報として生成するとのルールを示すルール情報が格納されているため、第２映像情報の更に的確な位置情報を生成することができる。
【００６１】
すなわち、第１映像情報が少なくとも１の特定内容のコーナを含むバラエティー番組である場合に、第２映像情報の始点位置が、基準位置（＝特定内容のコーナの開始位置）から予め設定された所定時間前（例えば、１０秒前）の位置に設定され、第２映像情報の終点位置が、基準位置（＝特定内容のコーナの開始位置）から予め設定された所定時間後（例えば、３００秒後）の位置に設定されるため、第２映像情報の更に的確な位置情報を生成することができるのである。
【００６２】
請求項１０に記載の映像記録装置によれば、テレビジョン放送を受信するテレビ受信機と通信可能に接続され、第１映像情報がテレビ受信機から取得され、第１映像記憶手段に格納されるため、テレビジョン放送を介して受信される第１映像情報のハイライトシーンを的確に判定することができる。
【００６３】
請求項１１に記載の映像記録再生装置によれば、請求項２〜請求項１０のいずれかに記載の映像記録装置を備え、第１映像記憶手段に格納された第２映像情報の始点位置情報及び終点位置情報に基づいて、第２映像情報が再生され、外部から視認可能にモニタに表示されるため、第１映像情報のハイライトシーンを的確に再生することが可能な映像記録再生装置を実現することができる。
【００６４】
請求項１２に記載の映像編集装置によれば、請求項２〜請求項１０のいずれかに記載の映像記録装置を備え、第１映像記憶手段に格納された第２映像情報の始点位置情報及び終点位置情報に基づいて、第１映像情報から第２映像情報が抽出されて、第２映像記憶手段に格納されるため、第１映像情報のハイライトシーンを含む第２映像情報を的確に編集することが可能な映像編集装置を実現することができる。
【発明を実施するための最良の形態】
【００６５】
以下に本発明の実施形態を、図面を参照しながら説明する。図１は、本発明に係るディスクレコーダの一例を示す構成図である。ディスクレコーダ１００（映像記録再生装置に相当する）は、ピックアップ装置１、ＤＶＤ２、出力装置３、制御装置４、駆動装置５、表示部６、操作部７、及び、インターフェイス部８を備えている。
【００６６】
ピックアップ装置１（映像取得手段の一部、位置特定手段の一部、及び、映像再生手段の一部に相当する）は、ＤＶＤ用ＬＤ（Ｌａｓｅｒ  Ｄｉｏｄｅ）を備え、テレビ受信機２００からインターフェイス部８を介して取得された音声情報、映像情報等の各種情報のＤＶＤ２への書き込み（＝記録）を行うと共に、再生する対象のＤＶＤ２からの反射光を電気信号に変換し、ＤＶＤ２に格納された音声情報、映像情報等の各種情報の読み取りを行うものである。ＤＶＤ用ＬＤは、ＤＶＤ２に格納された情報を読み取る（又は、ＤＶＤ２に情報を書き込む）レーザ光を照射するものである。
【００６７】
出力装置３は、ピックアップ装置１からの音声情報、映像情報等の情報を、音声及び画像に変換して、それぞれ、テレビ受信機２００に配設されたスピーカ及びモニタに出力するものであって、ＲＦアンプ３１、ＤＳＰ（Ｄｉｇｉｔａｌ  Ｓｉｇｎａｌ  Ｐｒｏｃｅｓｓｏｒ）３２、再生処理回路３３、及び、出力回路３４を備えている。
【００６８】
ＲＦアンプ３１（映像再生手段の一部に相当する）は、ピックアップ装置１からの音声情報、映像情報等に対応する信号を増幅してＤＳＰ３２に出力するものである。
【００６９】
ＤＳＰ３２及び再生処理回路３３（映像再生手段の一部に相当する）は、ＲＦアンプ３１からの信号に対して、再生のための各種情報処理（例えばデコード処理、画像処理等）を施すものである。出力回路３４（映像再生手段の一部に相当する）は、再生処理回路３３からの情報を、テレビ受信機２００に配設されたスピーカ及びディスプレイに出力するためにＤＡ変換処理等を行うものである。
【００７０】
テレビ受信機２００は、ＬＣＤ（Ｌｉｑｕｉｄ  Ｃｒｙｓｔａｌ  Ｄｉｓｐｌａｙ：モニタに相当する）、スピーカを備え、テレビジョン放送を受信して、インターフェイス部８を介して音声情報、映像情報等をＤＳＰ３２に出力するものである。
【００７１】
制御装置４は、操作部７を介して受け付けた指示操作に基づいて、ピックアップ装置１及び駆動装置５の動作を制御するものであって、システムコントローラ４１、及びドライバ４２を備えている。システムコントローラ４１は、操作部７からの情報を受け付けてＤＳＰ３２に伝送すると共に、ＤＳＰ３２からの情報を表示部６に伝送するものである。
【００７２】
ドライバ４２は、ＤＳＰ３２からの指示に基づいて、ピックアップ装置１及び駆動装置５の動作を制御するものである。具体的には、ドライバ４２は、ピックアップ装置１に配設されたＣＤ用ＬＤ及びＤＶＤ用ＬＤの動作を制御すると共に、駆動装置５を構成する送りモータ５１及びスピンドルモータ５２の動作を制御するものである。
【００７３】
駆動装置５は、送りモータ５１及びスピンドルモータ５２を備える。送りモータ５１は、ドライバ４２からの指示に基づいてピックアップ装置１をＤＶＤ２の径方向及び垂直方向に移動させるものである。スピンドルモータ５２は、ドライバ４２からの指示に基づいてＤＶＤ２を回転駆動するものである。
【００７４】
表示部６は、ＬＣＤ等を備え、ＤＳＰ３２からの情報を外部から視認可能に表示するものである。操作部７（ルール受付手段の一部に相当する）は、種々の操作ボタン等を備え、ユーザからの操作を受け付けて、ＤＳＰ３２に対応する操作信号を出力するものである。
【００７５】
図２は、本発明に係るディスクレコーダ１００における主要部の構成の一例を示す機能構成図である。ＤＳＰ３２は、ＭＰＵ（Ｍｉｃｒｏ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、及び、図略のＲＯＭ（Ｒｅａｄ  Ｏｎｌｙ  Ｍｅｍｏｒｙ）を備えている。ＭＰＵは、機能的に、映像取得部３２１、種別判定部３２２、静止画像生成部３２３、一致度評価部３２４、一致度判定部３２５、位置生成部３２６、ルール受付部３２７、位置特定部３２８、及び、映像再生部３２９を備え、ＲＡＭは、機能的に、特定画像記憶部３３１、位置記憶部３３２、及び、ルール記憶部３３３を備えている。また、ＤＶＤ２は、機能的に、第１映像記憶部２１を備えている。
【００７６】
ここでは、ＭＰＵが、図略のＲＯＭ等に予め格納されたプログラムを読み出して実行することにより、映像取得部３２１、種別判定部３２２、静止画像生成部３２３、一致度評価部３２４、一致度判定部３２５、位置生成部３２６、ルール受付部３２７、位置特定部３２８、映像再生部３２９等の機能部として機能すると共に、ＲＡＭを、特定画像記憶部３３１、位置記憶部３３２、ルール記憶部３３３等の機能部として機能させ、ＤＶＤ２を、第１映像記憶部２１等の機能部として機能させるものである。
【００７７】
また、ＲＡＭ又は図略のＲＯＭに格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００７８】
第１映像記憶部２１（第１映像記憶手段に相当する）は、テレビ受信機２００によって受信され、映像取得部３２１によって取得された映像情報である第１映像情報を格納するものである。また、第１映像記憶部２１は、位置特定部３２８によって生成された第２映像情報の第１映像情報における範囲を示す始点位置情報及び終点位置情報を、第１映像情報と対応付けて格納するものである。
【００７９】
特定画像記憶部３３１（特定画像記憶手段に相当する）は、第１映像情報のジャンル毎に、ユーザが視聴を所望するシーンであるハイライトシーンの映像情報の特徴を表す静止画像情報であって、画面の一部の領域である特定領域に表示される文字情報に対応する画像情報である複数の特定画像情報を、各特定画像情報を識別する識別情報である画像識別情報と対応付けて格納するものである。
【００８０】
図３、図４は、特定画像記憶部３３１に格納される特定画像情報の一例を示す説明図である。図３（ａ）は、特定画像記憶部３３１に格納される特定画像情報の区分の一例を示す図表である。図３（ａ）に示すように、特定画像記憶部３３１に格納される特定画像情報は、大ジャンル、小ジャンル、放送局の３段階に区分されており、大ジャンルには、得点の多寡を競うスポーツである対戦型スポーツ番組、少なくとも１の特定内容のコーナを含むバラエティー番組が含まれている。また、対戦型スポーツ番組の小ジャンルには、野球、サッカー等が含まれている。なお以下の説明においては、第１映像情報の大ジャンルが、「対戦型スポーツ番組」であって、小ジャンルが「野球」である場合について説明する。
【００８１】
図３（ｂ）は、野球中継番組の画面４００の一例を示す画面図である。画面４００には、画面左上部（特定領域に相当する）に、対戦チーム毎の得点を表示する得点表示部４０１が表示されている。図３（ｃ）は、図３（ｂ）に示す得点表示部４０１の拡大図である。得点表示部４０１には、先攻側のチーム名を示す先攻側チーム名（ここでは、「Ｔ」）表示部４０１ａと、先攻側のチームの得点を示す先攻側チーム得点（ここでは、「０」）表示部４０１ｂと、仕切りマーク（ここでは、「−」）表示部４０１ｃと、後攻側のチームの得点を示す後攻側チーム得点（ここでは、「０」）表示部４０１ｄと、後攻側のチーム名を示す後攻側チーム名（ここでは、「Ｇ」）表示部４０１ｅと、が表示されている。
【００８２】
図３（ｃ）に示す、先攻側チーム名表示部４０１ａ、先攻側チーム得点表示部４０１ｂ、仕切りマーク表示部４０１ｃ、後攻側チーム得点表示部４０１ｄ、及び、後攻側チーム名表示部４０１ｅに示す文字情報（ここでは、「Ｔ  ０−０  Ｇ」）に対応する画像情報が特定画像情報として特定画像記憶部３３１に格納されている。すなわち、一致度評価部３２４は、図３（ｃ）に示す文字情報（ここでは、「Ｔ  ０−０  Ｇ」）に対応する画像情報と、第１映像情報から生成された静止画像情報との一致の程度を、特定領域（ここでは、図３（ｃ）に示す斜線領域）における画素毎に評価するものである。
【００８３】
図４は、大ジャンルが「対戦型スポーツ番組」であって、小ジャンルが「野球」である場合の特定画像情報及び画像識別情報の一例を示す図表である。特定画像記憶部３３１には、先攻側チーム得点及び後攻側チーム得点毎に、１の特定画像情報及び画像識別情報が対応付けて格納されている。例えば、先攻側チーム名、後攻側チーム名を特定した場合に、先攻側チーム得点及び後攻側チーム得点が、０〜１９点の範囲の特定画像情報を格納する場合には、４００（＝２０×２０）個の特定画像情報及び画像識別情報を特定画像記憶部３３１に格納することになる。更に、先攻側チーム名、後攻側チーム名がそれぞれ６種類ある場合には、計１４４００（＝４００×６×６）個の特定画像情報及び画像識別情報を特定画像記憶部３３１に格納することになる。従って、一致度評価部３２４は、特定画像記憶部３３１に格納された１４４００個の特定画像情報について一致の程度を評価する。
【００８４】
再び、図２に戻って、ＤＳＰ３２の機能構成について説明する。位置記憶部３３２（位置記憶手段に相当する）は、画像識別情報を、静止画像情報の第１映像情報における位置を示す位置情報と対応付けて格納するものである。また、位置記憶部３３２は、一致度判定部３２５によりマッチング率が所定の閾値（例えば、９０％）以上であると判定された場合に、位置生成部３２６によって、特定画像情報に対応する画像識別情報が特定画像記憶部３３１から読み出されて、静止画像情報の第１映像情報における位置を示す位置情報と対応付けて格納されるものである。位置情報は、ここでは、第１映像情報の先頭からのタイムカウンタ値情報（＝第１映像情報の先頭から再生した場合に、再生されるタイミングを示す情報）である場合について説明する。
【００８５】
ルール記憶部３３３（ルール記憶手段に相当する）は、第１映像情報のジャンルを示すジャンル情報と対応付けて、第２映像情報の第１映像情報における範囲を示す始点位置情報及び終点位置情報を生成するルールを規定する情報であるルール情報を格納するものである。また、ルール記憶部３３３に格納されるルール情報は、ルール受付部３２７によって、操作部７を介してユーザからの操作が受け付けられて、受け付けられた操作入力に基づいて、生成又は変更されてルール記憶部３３３に格納されるものである。
【００８６】
図５は、ルール記憶部３３３に格納されたルール情報の一例を示す説明図である。（ａ）、（ｂ）は、大ジャンルが「対戦型スポーツ番組」である場合のルール情報の一例を示す説明図であって、（ｃ）、（ｄ）は、大ジャンルが「バラエティー番組」である場合のルール情報の一例を示す説明図である。
【００８７】
（ａ）、（ｃ）は、第１映像情報のタイムカウンタ値と、一致度判定部３２５によってマッチング率が所定の閾値（例えば、９０％）以上であると判定された特定画像情報に対応する画像識別情報とを示す図表である。例えば、（ａ）では、タイムカウンタ値が１〜６９９においては、画像識別情報が「１」である特定画像情報とのマッチング率が所定の閾値（例えば、９０％）以上であると判定され、タイムカウンタ値が７００〜１１９９においては、画像識別情報が「２」である特定画像情報とのマッチング率が所定の閾値（例えば、９０％）以上であると判定され、タイムカウンタ値が１２００〜においては、画像識別情報が「２２」である特定画像情報とのマッチング率が所定の閾値（例えば、９０％）以上であると判定されている。
【００８８】
（ｂ）に示すように、大ジャンルが「対戦型スポーツ番組」である場合には、第２映像情報の第１映像情報における範囲を示す始点位置及び終点位置は、それぞれ、画像識別情報が変化した時点（＝得点シーンに対応するタイミング）のタイムカウンタ値（ここでは、７００、１２００）を基準として、得点シーンの１２０秒前及び得点シーンの６０秒後にそれぞれ設定される。すなわち、第２映像情報は、タイムカウンタ値が５８０（＝７００−１２０）から７６０（＝７００＋６０）まで、及び、タイムカウンタ値が１０８０（＝１２００−１２０）から１２６０（＝１２００＋６０）まで、の第１映像情報である。
【００８９】
また、（ｄ）に示すように、大ジャンルが「バラエティー番組」である場合に、第２映像情報の第１映像情報における範囲を示す始点位置及び終点位置は、それぞれ、画像識別情報が発生した時点（＝特定内容のコーナが開始するタイミング）のタイムカウンタ値（ここでは、７００、１２００）を基準として、特定内容のコーナが開始するタイミングの１０秒前及び得点シーンの３００秒後にそれぞれ設定される。すなわち、第２映像情報は、タイムカウンタ値が６９０（＝７００−１０）から１０００（＝７００＋３００）まで、及び、タイムカウンタ値が１１９０（＝１２００−１０）から１５００（＝１２００＋３００）まで、の第１映像情報である。
【００９０】
再び、図２に戻って、ＤＳＰ３２の機能構成について説明する。映像取得部３２１（映像取得手段の一部に相当する）は、テレビ受信機２００から第１映像情報を取得すると共に、取得した第１映像情報を、図１に示すピックアップ装置１を介してＤＶＤ２の第１映像記憶部２１に格納する（＝記録する、書き込む）ものである。
【００９１】
種別判定部３２２（種別判定手段に相当する）は、第１映像情報のジャンルを判定するものである。ここでは、図３（ａ）を用いて説明したように、第１映像情報のジャンルは、「大ジャンル」、「小ジャンル」、「放送局」から構成されており、「大ジャンル」は、「対戦型スポーツ番組」、及び、「バラエティー番組」を含んでいる。
【００９２】
静止画像生成部３２３（静止画像生成手段に相当する）は、第１映像情報から予め設定された所定時間（ここでは、１秒）毎の静止画像情報を生成するものである。
【００９３】
一致度評価部３２４（一致度評価手段に相当する）は、静止画像生成部３２３によって生成された静止画像情報毎に、特定画像記憶部３３１に格納された特定画像情報の内、種別判定部３２２によって判定されたジャンルに対応する各特定画像情報との一致の程度を特定領域における画素毎に評価し、一致の程度を示すマッチング率を生成するものである（図３参照）。
【００９４】
一致度判定部３２５（一致度判定手段に相当する）は、一致度評価部３２４によって生成されたマッチング率が予め設定された所定の閾値（ここでは、９０％）以上であるか否かを判定するものである。
【００９５】
位置生成部３２６（位置生成手段に相当する）は、一致度判定部３２５によって所定の閾値（ここでは、９０％）以上であると判定された場合に、特定画像情報に対応する画像識別情報を特定画像記憶部３３１から読み出して、静止画像情報に対応する位置情報と対応付けて位置記憶部３３２に格納するものである（図５参照）。
【００９６】
ルール受付部３２７（ルール受付手段の一部に相当する）は、操作部７を介してユーザからの操作を受け付けて、受け付けられた操作入力に基づいて、ルール情報を生成又は変更してルール記憶部３３３に格納するものである。ここでは、ルール受付部３２７は、「大ジャンル」が「対戦型スポーツ番組」である場合に、第２映像情報の始点位置と得点シーン（＝ハイライトシーン）との間の時間（図５（ｂ）では、１２０秒に設定されている）、及び、第２映像情報の終点位置と得点シーン（＝ハイライトシーン）との間の時間（図５（ｂ）では、６０秒に設定されている）、を設定（又は変更）するものである。
【００９７】
位置特定部３２８（位置特定手段の一部に相当する）は、種別判定部３２２によって判定されたジャンルに対応するルール情報をルール記憶部３３３から読み出して、読み出されたルールに従って、位置記憶部３３２に格納された画像識別情報及び位置情報に基づいて、第２映像情報の第１映像情報における範囲を示す始点位置情報及び終点位置情報を生成すると共に、生成された始点位置情報及び終点位置情報を第１映像記憶部２１に、第１映像情報と対応付けて格納するものである。
【００９８】
映像再生部３２９（映像再生手段の一部に相当する）は、第１映像記憶部２１に格納された第２映像情報の始点位置情報及び終点位置情報に基づいて、第２映像情報をユーザから視認可能にテレビ受信機２００に配設されたＬＣＤに表示するものである。
【００９９】
図６、図７は、本発明に係るディスクレコーダ１００（主にＤＳＰ３２）の記録動作の一例を示すフローチャートである。まず、映像取得部３２１によってテレビ受信機２００を介して第１映像情報が取得される（Ｓ１０１）。そして、種別判定部３２２によって、ステップＳ１０１において取得された第１映像情報のジャンルが判定される（Ｓ１０３）。次いで、静止画像生成部３２３によって、１秒が経過したか否かの判定が行われる（Ｓ１０５）。１秒が経過していないと判定された場合（Ｓ１０５でＮＯ）には、処理がステップＳ１０１に戻され、ステップＳ１０１以降の処理が繰り返し実行される。
【０１００】
１秒が経過したと判定された場合（Ｓ１０５でＹＥＳ）には、静止画像生成部３２３によって、静止画像情報が生成される（Ｓ１０７）。そして、一致度評価部３２４によって、ステップＳ１０３で判定されたジャンルに対応する特定画像情報が特定画像記憶部３３１から読み出される（Ｓ１０９）。次に、一致度評価部３２４によって、ステップＳ１０７で生成された静止画像情報と、ステップＳ１０９で読み出された特定画像情報との一致の程度を示すマッチング率ＭＲが生成される（Ｓ１１１）。
【０１０１】
そして、一致度判定部３２５によって、ステップＳ１１１において生成されたマッチング率ＭＲが、予め設定された所定の閾値（ここでは、９０％）以上であるか否かが判定される（Ｓ１１３）。所定の閾値以上であると判定された場合（Ｓ１１３でＹＥＳ）には、位置生成部３２６によって、特定画像情報に対応する画像識別情報が特定画像記憶部３３１から読み出されて、静止画像情報に対応する位置情報と対応付けて位置記憶部３３２に格納され（Ｓ１１７）、処理がステップＳ１１９に進められる。所定の閾値以上ではない（＝所定の閾値未満である）と判定された場合（Ｓ１１３でＮＯ）には、一致度評価部３２４によって、ステップＳ１０３で判定されたジャンルに対応する特定画像情報の読み出しが終了したか否かの判定が行われる（Ｓ１１５）。特定画像情報の読み出しが終了していないと判定された場合（Ｓ１１５でＮＯ）には、処理がステップＳ１０９に戻され、ステップＳ１０９以降の処理が繰り返し実行される。特定画像情報の読み出しが終了したと判定された場合（Ｓ１１５でＹＥＳ）には、処理がステップＳ１１９に進められる。
【０１０２】
ステップＳ１１７の処理が終了した場合、又は、ステップＳ１１５でＹＥＳの場合には、映像取得部３２１によって、第１映像情報の取得が終了したか否かの判定が行われる（Ｓ１１９）。第１映像情報の取得が終了していないと判定された場合（Ｓ１１９でＮＯ）には、処理がステップＳ１０１に戻され、ステップＳ１０１以降の処理が繰り返し実行される。第１映像情報の取得が終了したと判定された場合（Ｓ１１９でＹＥＳ）には、図７に示すように、位置特定部３２８によって、タイムカウンタのカウント値ＣＮＴが「１」に初期設定される（Ｓ１２１）。そして、位置特定部３２８によって、図６に示すステップＳ１０３において判定されたジャンル（＝大ジャンル）が「対戦型スポーツ」であるか否かの判定が行われる（Ｓ１２３）。
【０１０３】
ジャンルが「対戦型スポーツ」ではないと判定された場合（Ｓ１２３でＮＯ）には、処理がステップＳ１４１に進められる。ジャンルが「対戦型スポーツ」であると判定された場合（Ｓ１２３でＹＥＳ）には、位置特定部３２８によって、カウント値ＣＮＴに対応する画像識別情報が位置記憶部３３２に格納されているか否かの判定が行われる（Ｓ１２５）。位置記憶部３３２に格納されていないと判定された場合（Ｓ１２５でＮＯ）には、処理がステップ１３７に進められる。位置記憶部３３２に格納されていると判定された場合（Ｓ１２５でＹＥＳ）には、位置特定部３２８によって、前に位置記憶部３３２から読み出された画像識別情報と、ステップＳ１２５において位置記憶部３３２に格納されていると判定された画像識別情報とが一致するか否かの判定が行われる（Ｓ１２７）。
【０１０４】
一致すると判定された場合（Ｓ１２７でＹＥＳ）には、処理がステップＳ１３７に進められる。一致しないと判定された場合（Ｓ１２７でＮＯ）には、位置特定部３２８によって、始点位置がカウント値ＣＮＴから所定時間Ａ１（ここでは、１２０秒）を引いた差に設定される（Ｓ１２９）。そして、位置特定部３２８によって、終点位置がカウント値ＣＮＴに所定時間Ｂ１（ここでは、６０秒）を足した和に設定される（Ｓ１３１）。次に、位置特定部３２８によって、ステップＳ１２９で求められた始点位置と、ステップＳ１３１で求められた終点位置とが、第１映像情報と対応付けて第１映像記憶部２１に格納される（Ｓ１３３）。そして、位置特定部３２８によって、カウント値ＣＮＴが所定時間Ｂ１だけ増加される（Ｓ１３５）。
【０１０５】
ステップＳ１２３でＮＯの場合には、位置特定部３２８によって、カウント値ＣＮＴに対応する画像識別情報が位置記憶部３３２に格納されているか否かの判定が行われる（Ｓ１４１）。位置記憶部３３２に格納されていないと判定された場合（Ｓ１４１でＮＯ）には、処理がステップ１３７に進められる。位置記憶部３３２に格納されていると判定された場合（Ｓ１４１でＹＥＳ）には、位置特定部３２８によって、始点位置がカウント値ＣＮＴから所定時間Ａ２（ここでは、１０秒）を引いた差に設定される（Ｓ１４３）。そして、位置特定部３２８によって、終点位置がカウント値ＣＮＴに所定時間Ｂ２（ここでは、３００秒）を足した和に設定される（Ｓ１４５）。次に、位置特定部３２８によって、ステップＳ１４３で求められた始点位置と、ステップＳ１４５で求められた終点位置とが、第１映像情報と対応付けて第１映像記憶部２１に格納される（Ｓ１４７）。そして、位置特定部３２８によって、カウント値ＣＮＴが所定時間Ｂ２だけ増加される（Ｓ１４９）。
【０１０６】
ステップＳ１２５でＮＯの場合、ステップＳ１２７でＮＯの場合、ステップＳ１４１でＮＯの場合、ステップＳ１３５の処理が終了した場合、又は、ステップＳ１４９の処理が終了した場合には、位置特定部３２８によって、カウント値ＣＮＴが第１映像情報の最終カウント値Ｃｍａｘ以上であるか否かの判定が行われる（Ｓ１３７）。最終カウント値Ｃｍａｘ以上ではないと判定された場合（Ｓ１３７でＮＯ）には、位置特定部３２８によって、カウント値ＣＮＴが１だけインクリメントされて（Ｓ１３９）、処理がステップＳ１２３に戻され、ステップ１２３以降の処理が繰り返し実行される。最終カウント値Ｃｍａｘ以上であると判定された場合（Ｓ１３７でＹＥＳ）には、処理が終了される。
【０１０７】
図８は、本発明に係るディスクレコーダ１００（主にＤＳＰ３２）の再生動作の一例を示すフローチャートである。なお、ここで説明する処理は全て映像再生部３２９によって実行される。まず、第１映像記憶部２１に格納された第２映像情報の始点位置情報及び終点位置情報が読み出される（Ｓ２０１）。そして、第１映像記憶部２１に格納された第１映像情報が、ステップＳ２０１で読み出された始点位置から読み出される（Ｓ２０３）。次に、ステップＳ２０３で読み出された映像情報が再生処理され、テレビ受信機２００に配設されたＬＣＤに表示される（Ｓ２０５）。次いで、ステップＳ２０１で読み出された終点位置に到達したか否かの判定が行われる（Ｓ２０７）。
【０１０８】
終点位置に到達していないと判定された場合（Ｓ２０７でＮＯ）には、処理がステップＳ２０３に戻され、ステップＳ２０３以降の処理が繰り返し実行される。終点位置に到達したと判定された場合（Ｓ２０７でＹＥＳ）には、第１映像記憶部２１に他の始点位置情報が格納されているか否かの判定が行われる（Ｓ２０９）。他の始点位置情報が格納されていると判定された場合（Ｓ２０９でＹＥＳ）には、処理がステップＳ２０１に戻され、ステップＳ２０１以降の処理が繰り返し実行される。他の始点位置情報が格納されていないと判定された場合（Ｓ２０９でＮＯ）には、処理が終了される。
【０１０９】
このようにして、第１映像記憶部２１に、取得された映像情報である第１映像情報が格納され、特定画像記憶部３３１に、ユーザが視聴を所望するシーンであるハイライトシーンの映像情報の特徴を表す静止画像情報である複数の特定画像情報が、各特定画像情報を識別する識別情報である画像識別情報と対応付けて格納されている。そして、第１映像情報から予め設定された所定時間（ここでは、１秒）毎の静止画像情報が生成され、生成された静止画像情報毎に、特定画像記憶部３３１に格納された各特定画像情報との一致の程度が評価され、一致の程度を示すマッチング率ＭＲが生成される。また、生成されたマッチング率ＭＲが予め設定された所定の閾値（ここでは、９０％）以上であるか否かが判定され、所定の閾値以上であると判定された場合に、特定画像情報に対応する画像識別情報が特定画像記憶部３３１から読み出されて、静止画像情報に対応する位置情報と対応付けて位置記憶部３３２に格納される。更に、位置記憶部３３２に格納された画像識別情報及び位置情報に基づいて、予め設定されたルールに従って、ハイライトシーンを含む映像情報である第２映像情報の第１映像情報における範囲を示す始点位置情報及び終点位置情報が生成されると共に、生成された始点位置情報及び終点位置情報が第１映像記憶部２１に、第１映像情報と対応付けて格納されるため、ハイライトシーンを的確に判定することができる。
【０１１０】
すなわち、ハイライトシーンの映像情報の特徴を表す静止画像情報である特定画像情報との一致の程度（＝マッチング率ＭＲ）が所定の閾値以上（ここでは、９０％）である場合に、該特定画像情報の画像識別情報及び位置情報に基づいて、ハイライトシーンを含む映像情報である第２映像情報の第１映像情報における範囲を示す始点位置情報及び終点位置情報が生成されるため、ハイライトシーンを的確に判定することができるのである。
【０１１１】
つまり、例えば、第１映像情報が野球中継である場合に、特定画像情報として得点を表示する領域の画像情報を設定することによって、マッチング率ＭＲが所定の閾値（ここでは、９０％）以上である特定画像情報が、得点シーンの前後で変化するため、得点シーン（＝ハイライトシーン）を的確に判定することができるのである。
【０１１２】
また、例えば、第１映像情報がバラエティー番組である場合に、特定画像情報として１の特定内容のコーナが開始する旨を表示する文字情報の領域の画像情報を設定することによって、１の特定内容のコーナが開始する時点で、該コーナの開始時に表示される特定画像情報とのマッチング率ＭＲが所定の閾値（ここでは、９０％）以上となるため、１の特定内容のコーナ（＝ハイライトシーン）を的確に判定することができるのである。
【０１１３】
また、特定画像記憶部３３１において、特定画像情報として、画面の一部の領域である特定領域に表示される文字情報に対応する画像情報が格納され、特定領域における画素毎に、静止画像情報と特定画像情報との一致の程度が評価されるため、ハイライトシーンを更に的確に且つ容易に判定することができる。
【０１１４】
すなわち、特定領域における画素毎に、静止画像情報と特定画像情報との一致の程度（＝マッチング率ＭＲ）が評価されるため、マッチング率ＭＲを正確に且つ容易に求めることができるので、ハイライトシーンを更に的確に且つ容易に判定することができるのである。
【０１１５】
また、例えば、第１映像情報が野球中継である場合に、特定領域に表示される文字情報として得点を表示する領域の画像情報を設定することによって、マッチング率が所定の閾値以上である特定画像情報が、得点シーンの前後で変化するため、得点シーン（＝ハイライトシーン）を的確に判定することができるのである。
【０１１６】
更に、例えば、第１映像情報がバラエティー番組である場合に、特定領域に表示される文字情報として１の特定内容のコーナが開始する旨を表示する文字情報の領域の画像情報を設定することによって、１の特定内容のコーナが開始する時点で、該コーナの開始時に表示される特定画像情報とのマッチング率ＭＲが所定の閾値以上となるため、１の特定内容のコーナ（＝ハイライトシーン）を的確に判定することができるのである。
【０１１７】
更に、特定画像記憶部３３１に、第１映像情報のジャンル毎に複数の特定画像情報及び画像識別情報が格納されており、第１映像情報のジャンルが判定され、判定されたジャンルに対応する特定画像情報との一致の程度が評価されるため、ハイライトシーンを的確に且つ効率的に判定することができる。
【０１１８】
すなわち、マッチング率を求める対象である特定画像情報が、第１映像情報のジャンル毎に格納されているため、効率的にマッチング率ＭＲを求めることができる（＝マッチング率ＭＲが所定の閾値以上である特定画像情報を効率的に特定することができる）ので、ハイライトシーンを的確に且つ効率的に判定することができるのである。
【０１１９】
加えて、ルール記憶部３３３に、第１映像情報のジャンルを示すジャンル情報と対応付けて、位置情報を生成するルールを規定する情報であるルール情報が格納されており、第１映像情報のジャンルに対応するルール情報がルール記憶部３３３から読み出されて、読み出されたルールに従って、第１映像情報における範囲を示す位置情報が生成されるため、ハイライトシーンを含む映像情報である第２映像情報の更に的確な位置情報を生成することができる。
【０１２０】
すなわち、例えば、第１映像情報が野球中継である場合に、第２映像情報の位置情報として得点シーン（＝ハイライトシーン）を第２映像情報の後半に含むようにルール情報を設定する（ここでは、得点シーンの１２０秒前から得点シーンの６０秒後までを第２映像情報の位置情報として設定する）ことによって、第２映像情報の的確な位置情報を生成することができるのである。
【０１２１】
更に、例えば、第１映像情報がバラエティー番組である場合に、第２映像情報の位置情報として、１の特定内容のコーナ（＝ハイライトシーン）が開始する旨を表示する画像情報を第２映像情報の略先頭位置に含むようにルール情報を設定する（ここでは、コーナが開始する旨を表示するシーンの１０秒前から得点シーンの３００秒後までを第２映像情報の位置情報として設定する）ことによって、第２映像情報の的確な位置情報を生成することができるのである。
【０１２２】
また、操作部７を介してユーザからの操作が受け付けられて、受け付けられた操作入力に基づいて、ルール情報が生成又は変更されてルール記憶部３３３に格納されるため、ハイライトシーンを含む映像情報である第２映像情報の更に的確な位置情報を生成することができる。
【０１２３】
すなわち、第２映像情報の位置情報として、ユーザが所望する位置情報を、ルール情報を介して設定することができるため、ハイライトシーンを含む映像情報である第２映像情報の更に的確な位置情報を生成することができるのである。
【０１２４】
つまり、例えば、第１映像情報が野球中継である場合に、始点位置と得点シーン（＝ハイライトシーン）との間の時間（ここでは、所定時間Ａ１）、及び、第２映像情報の終点位置と得点シーン（＝ハイライトシーン）との間の時間（ここでは、所定時間Ｂ１）、を設定（又は変更）可能とすることによって、第２映像情報の更に的確な位置情報を生成することができるのである。
【０１２５】
更に、特定画像記憶部３３１に、得点の多寡を競うスポーツである対戦型スポーツ番組に対応する特定画像情報として、得点を表示する領域の画像情報が格納されており、ルール記憶部３３３に、対戦型スポーツ番組に対応するルール情報として、位置記憶部３３２に格納された画像識別情報が変化する位置（＝得点シーンの位置）を基準位置とし、該基準位置から予め設定された所定時間（ここでは、所定時間Ａ１）前の位置を第２映像情報の始点位置情報として生成し、該基準位置から予め設定された所定時間（ここでは、所定時間Ｂ１）後の位置情報を第２映像情報の終点位置情報として生成するとのルールを示すルール情報が格納されているため、第２映像情報の更に的確な位置情報を生成することができる。
【０１２６】
すなわち、第１映像情報が得点の多寡を競うスポーツである対戦型スポーツ番組（例えば、野球中継番組）である場合に、第２映像情報の始点位置が、基準位置（＝得点シーンの位置）から予め設定された所定時間（ここでは、所定時間Ａ１）前（例えば、１２０秒前：Ａ１＝１２０秒）の位置に設定され、第２映像情報の終点位置が、基準位置（＝得点シーンの位置）から予め設定された所定時間（ここでは、所定時間Ｂ１）後（例えば、６０秒後：Ｂ１＝６０秒）の位置に設定されるため、第２映像情報の更に的確な位置情報を生成することができるのである。
【０１２７】
加えて、特定画像記憶部３３１に、少なくとも１の特定内容のコーナを含むバラエティー番組に対応する特定画像情報として、１の特定内容のコーナが開始する旨を表示する文字情報の領域の画像情報が格納されており、ルール記憶部３３３に、バラエティー番組に対応するルール情報として、位置記憶部３３２に格納された画像識別情報と一致する位置（＝特定内容のコーナの開始位置）を基準位置とし、該基準位置から予め設定された所定時間（ここでは、所定時間Ａ２）前の位置を始点位置情報として生成し、該基準位置から予め設定された所定時間（ここでは、所定時間Ｂ２）後の位置情報を終点位置情報として生成するとのルールを示すルール情報が格納されているため、第２映像情報の更に的確な位置情報を生成することができる。
【０１２８】
すなわち、第１映像情報が少なくとも１の特定内容のコーナを含むバラエティー番組である場合に、第２映像情報の始点位置が、基準位置（＝特定内容のコーナの開始位置）から予め設定された所定時間（ここでは、所定時間Ａ２）前（例えば、１０秒前：Ａ２＝１０秒）の位置に設定され、第２映像情報の終点位置が、基準位置（＝特定内容のコーナの開始位置）から予め設定された所定時間（ここでは、所定時間Ｂ２）後（例えば、３００秒後：Ｂ２＝３００秒）の位置に設定されるため、第２映像情報の更に的確な位置情報を生成することができるのである。
【０１２９】
また、テレビジョン放送を受信するテレビ受信機２００と通信可能に接続され、第１映像情報がテレビ受信機２００から取得され、第１映像記憶部２１に格納されるため、テレビジョン放送を介して受信される第１映像情報のハイライトシーンを的確に判定することができる。
【０１３０】
更に、第１映像記憶部２１に格納された第２映像情報の始点位置情報及び終点位置情報に基づいて、第２映像情報が再生され、ユーザから視認可能にテレビ受信機２００に配設されたＬＣＤに表示されるため、第１映像情報のハイライトシーンを的確に再生することができる。
【０１３１】
なお、本発明は、以下の形態にも適用可能である。
（Ａ）本実施形態では、映像記録装置がディスクレコーダ１００である場合について説明したが、映像記録装置が映像情報を取得して格納すると共に、取得された映像情報である第１映像情報に含まれ、ユーザが視聴を所望するシーンであるハイライトシーンを含む映像情報である第２映像情報の第１映像情報における範囲を特定する装置であればよい。例えば、映像記録装置がハードディスク等の記録媒体に映像情報を格納可能に構成されたパーソナルコンピュータである形態でもよい。
【０１３２】
（Ｂ）本実施形態では、記録媒体がＤＶＤ２である場合について説明したが、記録媒体がその他の種類の記録媒体である形態でもよい。例えば、記録媒体が、ハードディスク、フレキシブルディスク、半導体メモリ等である形態でもよい。例えば、記録媒体が、ハードディスクである場合には、本発明に係る映像記録装置は、ハードディスクドライブを備えている必要がある。
【０１３３】
（Ｃ）本実施形態では、映像記録装置が映像再生機能を有するディスクレコーダ１００である場合について説明したが、映像記録装置が、第１映像記憶部２１に格納された第２映像情報の始点位置情報及び終点位置情報に基づいて、第１映像情報から第２映像情報を抽出して、ハードディスク等の記録媒体に格納する映像抽出機能を有する映像編集装置である形態でもよい。この場合には、第１映像情報のハイライトシーンを含む第２映像情報を的確に編集することが可能な映像編集装置を実現することができる。
【０１３４】
（Ｄ）本実施形態では、ＤＳＰ３２が、映像取得部３２１、種別判定部３２２、静止画像生成部３２３、一致度評価部３２４、一致度判定部３２５、位置生成部３２６、ルール受付部３２７、位置特定部３２８、及び、映像再生部３２９等の機能部として機能する場合について説明したが、少なくとも１の機能部が回路によって実現されている形態でもよい。
【０１３５】
（Ｅ）本実施形態では、第１映像情報がテレビ受信機２００によって受信される場合について説明したが、第１映像情報が予め第１映像記憶部２１に格納されている形態でもよいし、第１映像情報が他の方法で（例えば、インターネット等のネットワークを介して）取得される形態でもよい。
【０１３６】
（Ｆ）本実施形態では、特定画像情報が、画面の一部の領域である特定領域に表示される文字情報に対応する画像情報である場合について説明したが、特定画像情報が、画面の略全体領域に表示される文字情報に対応する画像情報である形態でもよいし、特定画像情報が、文字情報以外の情報（例えば、図形情報等）に対応する画像情報である形態でもよい。
【図面の簡単な説明】
【０１３７】
【図１】は、本発明に係るディスクレコーダの一例を示す構成図である。
【図２】は、本発明に係るディスクレコーダにおける主要部の構成の一例を示す機能構成図である。
【図３】は、特定画像記憶部に格納される特定画像情報の一例を示す説明図である。
【図４】は、大ジャンルが「対戦型スポーツ番組」であって、小ジャンルが「野球」である場合の特定画像情報及び画像識別情報の一例を示す図表である。
【図５】は、ルール記憶部に格納されたルール情報の一例を示す説明図である。
【図６】は、本発明に係るディスクレコーダ（主にＤＳＰ）の記録動作の一例を示すフローチャートである（前半部）。
【図７】は、本発明に係るディスクレコーダ（主にＤＳＰ）の記録動作の一例を示すフローチャートである（後半部）。
【図８】は、本発明に係るディスクレコーダ（主にＤＳＰ）の再生動作の一例を示すフローチャートである。
【符号の説明】
【０１３８】
１００    ディスクレコーダ（映像記録再生装置）
１    ピックアップ装置（映像取得手段の一部、位置特定手段の一部、及び、映像
再生手段の一部）
２    ＤＶＤ
２１    第１映像記憶部（第１映像記憶手段）
３    出力装置
３１    ＲＦアンプ（映像再生手段の一部）
３２    ＤＳＰ
３２１    映像取得部（映像取得手段の一部）
３２２    種別判定部（種別判定手段）
３２３    静止画像生成部（静止画像生成手段）
３２４    一致度評価部（一致度評価手段）
３２５    一致度判定部（一致度判定手段）
３２６    位置生成部（位置生成手段）
３２７    ルール受付部（ルール受付手段の一部）
３２８    位置特定部（位置特定手段の一部）
３２９    映像再生部（映像再生手段の一部）
３３１    特定画像記憶部（特定画像記憶手段）
３３２    位置記憶部（位置記憶手段）
３３３    ルール記憶部（ルール記憶手段）
３３    再生処理回路（映像再生手段の一部）
３４    出力回路（映像再生手段の一部）
７    操作部（ルール受付手段の一部）
２００    テレビ受信機
【図１】
2008167368.tif 000003
【図２】
2008167368.tif 000004
【図３】
2008167368.tif 000005
【図４】
2008167368.tif 000006
【図５】
2008167368.tif 000007
【図６】
2008167368.tif 000008
【図７】
2008167368.tif 000009
【図８】
2008167368.tif 000010